(57)【特許請求の範囲】
【請求項１】
上面が開口し長手方向一端にヘッドボードが設けられた箱形状の基体と、
所定の厚さを有し上記基体の上面に設けられるマットレス体と、
一端部が上記マットレス体の長手方向一端部に取付けられ他端部が上記基体に載置された上記マットレス体の厚さ方向上部に対応する位置で上記ヘッドボードに回動可能に連結され上記マットレス体を上記基体の上面開口を閉塞するほぼ水平な倒伏状態から長手方向一端部を支点として上方向に回動可能に連結した連結手段と、
上記基体と上記マットレス体との間に設けられこのマットレス体を上昇方向に回動させることで伸長するガススプリングとを具備し、
上記連結手段は、上記ヘッドボードの上記マットレス体の厚さ方向上部に対応する位置にほぼ水平に枢着された横杆と、Ｌ字状に形成され一端が上記横杆に連結され他端が上記マットレス体の長手方向一端部の下面に取付けられた連結杆と
を備えていることを特徴とするベッド装置。
【発明の詳細な説明】
【０００１】
【発明の属する技術分野】
この発明は基体の内部空間を物入れとして利用することができるベッド装置に関する。
【０００２】
【従来の技術】
ベッド装置は、長手方向一端にヘッドボードが立設された箱形状の基体を有し、この基体の上面にはマットレス体が設けられる。このマットレス体は床板を有し、この床板の上面にはクッション体が床板と一体的に設けられてなる。このような構成のベッド装置において、上記基体の内部空間を物入れとして利用できるようにしたものがある。
【０００３】
基体の内部空間を物入れとして利用するには、上記床板のヘッドボード側の一端を上記基体に対して回動可能に連結し、この床板を回動上昇させることで、上記基体の上面を開口させることができるようにしている。
【０００４】
床板の上面にクッション体が設けられ、その一端面がヘッドボードの内面（マットレス体側の側面）に接近していると、この床板を一端を支点として回動上昇させるときに、その厚さによってマットレス体の一端面がヘッドボードの内面に当たり、その回動上昇が妨げられることになる。
【０００５】
マットレス体の一端面をヘッドボードの内面から所定間隔離間させれば、マットレス体を回動上昇させたときに、その一端面がヘッドボードの内面に当たるのを防止できる。しかしながら、マットレス体の一端面とヘッドボードの内面との間に隙間ができると、使い勝手が悪くなるばかりか、外観が低下するということがある。
【０００６】
そこで、従来は、上記床板を上記基体にリンクによって回動可能に取付けるようにしている。つまり、基体の長手方向の一端部の両側内面に一対のリンクの一端を枢着し、これらリンクの他端を上記床板の長手方向一端部の幅方向両端部に枢着する。さらに、基体と床板との間には、床板を上昇方向に回動させたときに伸長するガススプリングを設け、床板を軽い力で回動上昇させることができるようにするとともに、上昇させた状態で保持できるようにしている。
【０００７】
そして、マットレス体を上昇方向に回動させたときに、上記リンクの作用によって上記マットレス体を一端がヘッドボードから離れる方向へ移動させることで、マットレス体が所定の厚さを有していても、その一端面の厚さ方向の上部がヘッドボードの内面に当たることなく、マットレス体を上昇方向へ回動させることができるようにしている。
【０００８】
その場合、マットレス体の一端部にローラを設け、このローラを基体に形成された係合溝に転動可能に係合させることで、床板の一端部をヘッドボードから離れる方向へ円滑に移動させるようにしている。
【０００９】
【発明が解決しようとする課題】
しかしながら、このような構成によると、マットレス体を基体に取付けるためにはリンク及びマットレス体を基体の長手方向に沿って移動可能にガイドするためのローラが必要となり、さらにローラをガイドするために基体に係合溝を形成しなければならない。
【００１０】
そのため、マットレス体をその一端面がヘッドボードに当たらないよう回動可能な構成とするには、部品点数が多くなり、構成の複雑化やコストの上昇を招くということがあった。
【００１１】
さらに、マットレス体の一端を基体にリンクによって取付け、しかもマットレス体の一端を回動上昇にともなって移動させる構成であると、マットレス体は一端が基体に対して強固に連結されず、リンクとともに回動方向と交差する横方向に動き易いから、回動上昇させたマットレス体の支持状態が不安定になるということがある。
【００１２】
この発明は、少ない部品点数で所定の厚さを有するマットレス体をヘッドボードにぶつかることなく確実に回動上昇させることができ、しかもマットレス体を回動上昇させたときに、横方向に振れ難いようにしたベッド装置を提供することにある。
【００１３】
【課題を解決するための手段】
請求項１の発明は、上面が開口し長手方向一端にヘッドボードが設けられた箱形状の基体と、
所定の厚さを有し上記基体の上面に設けられるマットレス体と、
一端部が上記マットレス体の長手方向一端部に取付けられ他端部が上記基体に載置された上記マットレス体の厚さ方向上部に対応する位置で上記ヘッドボードに回動可能に連結され上記マットレス体を上記基体の上面開口を閉塞するほぼ水平な倒伏状態から長手方向一端部を支点として上方向に回動可能に連結した連結手段と、
上記基体と上記マットレス体との間に設けられこのマットレス体を上昇方向に回動させることで伸長するガススプリングとを具備し、
上記連結手段は、上記ヘッドボードの上記マットレス体の厚さ方向上部に対応する位置にほぼ水平に枢着された横杆と、Ｌ字状に形成され一端が上記横杆に連結され他端が上記マットレス体の長手方向一端部の下面に取付けられた連結杆と
を備えていることを特徴とするベッド装置にある。
【００１６】
この発明によれば、連結手段の一端部をマットレス体の長手方向一端部に取付け、他端部をマットレス体の厚さ方向上部に対応する位置でヘッドボードに回動可能に連結したから、連結手段の他端部、つまりマットレス体の圧さ方向の上部に対応する位置を支点としてマットレス体が上昇方向に回動させることができるため、その一端面がヘッドボードの内面に当たるのを防止することができる。
【００１７】
【発明の実施の形態】
以下、この発明の実施の形態を図面を参照しながら説明する。
【００１８】
図１はこの発明の一実施の形態に係るベッド装置を示し、このベッド装置は基体１を備えている。この基体１は、上面が開口した矩形箱形状に形成されていて、一対の側板２の内面側には、側板２と所定の間隔で内板３が長手方向全長にわたって設けられている。さらに、基体１の長手方向一端にはヘッドボード４が立設されている。
【００１９】
上記基体１の上面にはマットレス体５が設けられる。このマットレス体５は、基体１の上面の開口を閉塞する大きさのボトム６と、このボトム６の上面に載置されたマットレス７とを有する。上記ボトム６は、木枠８と、この木枠８の上面に固定されたスプリングユニット９から構成されている。
【００２０】
上記木枠８の下面には、図２に示すように幅方向両端部と中途部とに合計で４本の縦桟１１が長手方向全長にわたって設けられている。幅方向両端部の縦桟１１は、基体１の側板２の上端面に当接するようになっている。
【００２１】
上記ヘッドボード４の基体１側を向いた内面には、上記マットレス体５の上部マットレス７の一端面の高さ方向中途部と対応する位置に一対の支持具１２が幅方向に所定間隔で離間して固定されている。この一対の支持具１２にはパイプ材からなる横杆１３の両端部が回動可能かつ軸方向に移動不能に支持されている。この横杆１３にはパイプ材をほぼＬ字状に曲成した一対の連結杆１４の一端がそれぞれ固着されている。
【００２２】
一対の連結杆１４の他端部は、上記マットレス体５の一端部の下面側に位置し、その一端部に係合したＵ字状の連結具１５によって上記マットレス体５の木枠８の下面の幅方向中途部に設けられた一対の縦桟１１に連結固定されている。
【００２３】
さらに、一対の連結杆１４の図３における垂直部分の下端部にはそれぞれ矩形状の固定板１６が固着されている。これら固定板６は、図４に示すように上記ボトム６の木枠８の一端面にねじ１７によって固定される。
【００２４】
それによって、マットレス体５は連結杆１４によってヘッドボード４に一端を支点として図１に実線で示す倒伏状態から鎖線で示す上昇方向へ回動させることができるようになっている。つまり、上記横杆１３と連結杆１４とでマットレス体５を基体１のヘッドボード４に起伏可能（回動可能）に連結した連結手段１８を構成している。
【００２５】
図２に示すように、上記基体１の側板２と内板３とで区画された一対の空間部にはそれぞれガススプリング２１が設けられている。このガススプリング２１は、一端が上記側板２の長手方向中途部の下端部に設けられた下部連結具２２に枢着され、他端が基枠８の幅方向両端の縦桟１１の長手方向中途部の内面側に設けられた上部連結具２３に枢着されている。
【００２６】
一対のガススプリング２１は、マットレス体５を連結杆１４に連結された一端部を支点として他端部が上昇する方向へ回動させることで伸長する。つまり、マットレス体５を上昇方向へ回動させることで、このマットレス体５にガススプリング２１の復元力が作用するから、その復元力によってマットレス体５を軽い力で回動上昇させることができ、上昇させた状態で倒伏しないよう保持できるようになっている。
【００２７】
マットレス体５をガススプリング２１の復元力に抗して倒伏方向へ押圧すれば、このマットレス体５をガススプリング２１の復元力によって緩やかに倒伏させることができる。
【００２８】
このように構成されたベッド装置において、マットレス体５を図１に実線で示すほぼ水平に倒伏した状態から鎖線で示すように上昇方向へ回動させる場合、マットレス体５は連結手段１８の横桟１３を支点として回動する。横桟１３は基体１上でほぼ水平に倒伏したマットレス体５の厚さ方向の上部に対応する位置に設けられている。つまり、横桟１３はボトム６上に設けられた上部マットレス７の端面と対応する高さに設けられている。
【００２９】
そのため、マットレス体５を、横桟１３を支点として他端部が上昇する方向へ回動させると、そのヘッドボード４の内面に対向した一端面は高さ方向上部を支点として下部がヘッドボード４の内面から離れる方向へ回動するから、マットレス体５を上昇方向へ回動させても、その一端部がヘッドボード４の内面に当たって回動不能になることがない。
【００３０】
つまり、マットレス体５がほぼ水平に倒伏した状態で、その一端面がヘッドボード４の内面に接近するよう設置しても、上記一端面がヘッドボード４の内面に当たることなく、他端部を上昇方向に回動させることができる。
【００３１】
マットレス体５は、連結手段１８の連結杆１４に一端部が固定されている。そのため、マットレス体５は上記連結杆１４にがた付くことなく強固に連結固定されることになる。
【００３２】
上記連結杆１４の一端は横杆１３に固着され、この横杆１３の両端は一対の支持具１２に回動可能に支持されている。そのため、一端が横杆１３に固着された連結杆１４はヘッドボード４に対しても、上記横杆１３を介して強固に連結されていることになる。
【００３３】
したがって、これらのことにより、マットレス体５は、回動上昇させた状態において、回動方向と交差する方向に振れ動くようなことなく安定した状態で支持されることになる。
【００３４】
すなわち、上記構成のベッド装置によれば、マットレス体５の一端面をヘッドボード４の内面に接近させて設置しても、マットレス体５を上昇方向に回動させるとき、このマットレス体５をヘッドボード４の内面から離れる方向へ移動させなくとも、その一端面がヘッドボード４の内面に当たるのを防止できる。
【００３５】
そのため、マットレス体５を移動させる従来構造の場合に比べて構成の簡略化や上昇させたときの支持状態の安定化を図ることができる。
【００３６】
図５と図６は連結手段の変形例を示すこの発明の第２の実施の形態である。この第２の実施の形態の連結手段１８Ａは一対の連結部材２５によって形成されている。また、マットレス体５Ａは図６に示すように、基板２６上にクッション体２７が一体的にもうけられた構成であって、上記第１の実施の形態のようにボトム６と上部マットレス７とを有する構成とは相違している。
【００３７】
上記連結部材２５は板材をほぼＬ字状に折曲してなり、その一端部は上記マットレス体５Ａの高さ方向上部に対応する位置で、上記ヘッドボード４の幅方向の端面に支軸２８によって回動可能に取付けられている。
【００３８】
上記連結部材２５の一端部はマットレス体５Ａの一端部の側面に沿って設けられ、その他端部はマットレス体５Ａの一端部の基板２６の下面に接合され、ねじ２９によって連結固定されている。
【００３９】
なお、他の部分の構成は第１の実施の形態と同じであるから、同一部分には同一記号を付して説明を省略する。
【００４０】
このような構成のベッド装置であっても、マットレス体５Ａは、連結部材２５の一端部、つまりマットレス体５Ａの厚さ方向の上部を支点として上昇方向に回動させることができる。
【００４１】
そのため、マットレス体５Ａの一端面をヘッドボード４の内面に接近させて設置しても、その一端面がヘッドボード４の内面に当たることなく、マットレス体５Ａを上昇方向へ回動させることができる。
【００４２】
しかも、マットレス体５Ａは一対の連結部材２５によってヘッドボード４に回動可能に連結された構成で、従来のように回動上昇させることで基体１の長手方向に沿って移動する構成でないから、回動上昇させた状態において横方向に振れることなく、安定した状態で支持することができる。
【００４３】
なお、上記第１の実施の形態と第２の実施の形態とではマットレス体の構成が相違しているが、いずれの構成のマットレス体であっても差し支えなく、さらには床板上にマットレスを載置した構成のマットレス体であってもよく、要は所定の厚さを有する構成であれば、この発明を適用することができる。
【００４４】
図７と図８はこの発明の第３の実施の形態を示す。この実施の形態はマットレス体５Ｂの変形例である。つまり、マットレス体５Ｂはフレーム３１上にマットレス３２が載置されてなる。上記フレーム３１は、長手方向の一側辺を除く三辺が角筒パイプで、長手方向のヘッドボード４側に位置する一側辺がアングル材によって矩形枠状に形成された枠部材３３と、この枠部材３３内に縦横に張設された線材３４とによって形成されている。
【００４５】
上記フレーム３１をヘッドボード４に連結する連結手段１８は第１の実施の形態とほぼ同じであるが、横杆１３には直線状の一対の第１の連結杆１４ａの一端が固着され、この第１の連結杆１４ａの他端には平面形状がコ字状の第２の連結杆１４ｂの中途部が連結固定されている。この第２の連結杆１４ｂの両側は上記枠部材３３のアングル材によって形成された一側辺の下面側から上記枠部材３３内に導入され、その両側辺の内面に接合固定されている。
【００４６】
なお、他の部分は上記第１の実施の形態とほぼ同じであり、同一部分には同一記号を付して説明を省略する。
【００４７】
このような構成のベッド装置においても、上記第１、第２の実施の形態と同様、マットレス体５Ｂの厚さ方向上部に対応する位置に、このマットレス体５Ｂの回動支点が設けられているから、マットレス体５Ｂの一端面をヘッドボード４の内面に接近させておいても、このマットレス体５Ｂをヘッドボード４の当たることなく、回動上昇させることができる。
【００４８】
【発明の効果】
以上のように、この発明によれば、マットレス体を連結手段によって厚さ方向の上部に対応する位置でヘッドボードに回動可能に連結した。
【００４９】
そのため、マットレス体を連結手段によって連結された一端部側を支点として他端部側が上昇する方向に回動させると、ヘッドボードの内面に対向する一端面は下端部がヘッドボードの内面から離れる方向に回動するから、マットレス体の一端面をヘッドボードの内面に接近させて設置しても、その一端面がヘッドボードの内面に当たることなくマットレス体を上昇方向に回動させることができる。
【００５０】
しかも、マットレス体をヘッドボードに回動可能に連結するだけでよく、従来のようにマットレス体を回動上昇させるにともなって基体の長手方向に沿って移動させる構成としなくてすむから、構成の簡略化が図れるばかりか、回動上昇させた状態での安定性を向上させることができる。
【図面の簡単な説明】
【図１】  この発明の第１の実施の形態を示すベッド装置の長手方向に沿う断面図。
【図２】  ベッド装置の幅方向に沿う断面図。
【図３】  連結手段の斜視図。
【図４】  連結手段を拡大した側面図。
【図５】  この発明の第２の実施の形態を示すベッド装置の長手方向に沿う断面図。
【図６】  ベッド装置の幅方向に沿う断面図。
【図７】  この発明の第３の実施の形態を示すマットレス体を除去したベッド装置の斜視図。
【図８】  ベッド装置の長手方向に沿う断面図。
【符号の説明】
１…基体
２…側板
４…ヘッドボード
５，５Ａ、５Ｂ…マットレス体
１３…横杆
１４…連結杆
１８，１８Ａ…連結手段
２１…ガススプリング
２５…連結部材
【図１】
0003725787.tif 000002
【図２】
0003725787.tif 000003
【図３】
0003725787.tif 000004
【図４】
0003725787.tif 000005
【図５】
0003725787.tif 000006
【図６】
0003725787.tif 000007
【図７】
0003725787.tif 000008
【図８】
0003725787.tif 000009